(57)【特許請求の範囲】
【請求項１】
基板の側面に取付けられるコネクタであって、接続対象物と接触する２個の接触部を有する複数のコンタクトと、該コンタクトが配列・保持されるとともに前記接続対象物が挿入される嵌合口を前部に有するハウジングと、前記コンタクトを弾性変形させて前記接続対象物に押圧する回動部材とを備えるコネクタにおいて、
前記コンタクトには一端側に前記接続対象物と接触する接触部と他端側に前記回動部材により押圧される押受部とを有する第一片と、一端側に前記接続対象物と接触するもう一つの接触部と他端側に基板と接続する接続部とを有する第二片と、前記第一片と前記第二片とを連結する連結部とを備え、前記第一片の接触部と前記連結部と前記接続部とを略クランク形状に配置するとともに前記押受部と前記接続部との間に前記回動部材の押圧部が回動できる保持手段を設け、
前記ハウジングには前記コンタクトの接触部を被覆する天井部を備え、
前記回動部材には、回動させるための操作部と長手方向に連設した押圧部と前記押受部が挿入できる別個独立の係止孔とを備え、前記押圧部が前記コンタクトの接続部と押受部との間で回動するように前記ハウジングに装着するとともに前記押圧部が回動する時は回転軸が移動してコンパクトな回転をし、前記操作部を前記ハウジングの嵌合口方向に回動することで前記コンタクトの接触部を前記接続対象物に接触させ、
前記基板に切欠き部を設け、前記コネクタを該切欠き部に落とし込むように接続し、長手方向両側に前記基板に固定するための固定具を配置し、前記固定具と一体若しくは別体に前記コンタクトの接続部側に前記基板と垂直に突出した突出片をコネクタの長手方向両側若しくはどちらか一方に設け、前記突出片により前記回動部材が開いた際に前記回動部材の回転角度を制限することを特徴とするコネクタ。
【請求項２】
基板の側面に取付けられるコネクタであって、接続対象物と接触する２個の接触部を有する複数のコンタクトと、該コンタクトが配列・保持されるとともに前記接続対象物が挿入される嵌合口を上部に有するハウジングと、前記コンタクトを弾性変形させて前記接続対象物に押圧する回動部材とを備えるコネクタにおいて、
前記コンタクトには一端側に前記接続対象物と接触する接触部と他端側に前記回動部材により押圧される押受部とを有する第一片と、一端側に前記接続対象物と接触するもう一つの接触部と他端側に基板と接続する接続部とを有する第二片と、前記第一片と前記第二片とを連結する連結部とを備えるとともに前記押受部と前記接続部との間に前記回動部材の押圧部が回動できる保持手段を設け、
前記ハウジングには前記コンタクトの少なくとも一方の接触部を被覆する天井部を備え、
前記回動部材には、回動させるための操作部と長手方向に連設した押圧部と前記押受部が挿入できる別個独立の係止孔とを備え、前記押圧部が前記コンタクトの接続部と押受部との間で回動するように前記ハウジングに装着するとともに前記押圧部が回動する時は回転軸が移動してコンパクトな回転をし、前記操作部を前記ハウジングの嵌合口方向に回動することで前記コンタクトの接触部を前記接続対象物に接触させ、
前記基板に切欠き部を設け、前記コネクタを該切欠き部に落とし込むように接続し、長手方向両側に前記基板に固定するための固定具を配置し、前記固定具と一体若しくは別体に前記コンタクトの接続部側に前記基板と垂直に突出した突出片をコネクタの長手方向両側若しくはどちらか一方に設け、前記突出片により前記回動部材が開いた際に前記回動部材の回転角度を制限することを特徴とするコネクタ。
【請求項３】
基板の側面に取付けられるコネクタであって、接続対象物と接触する１個の接触部を有する複数のコンタクトと、該コンタクトが配列・保持されるとともに前記接続対象物が挿入される嵌合口を前部に有するハウジングと、前記コンタクトを弾性変形させて前記接続対象物に押圧する回動部材とを備えるコネクタにおいて、
前記コンタクトには一端側に前記接続対象物と接触する接触部と他端側に前記回動部材により押圧される押受部とを有する第一片と、一端側に前記接続対象物の挿入方向へ突出した延設部と他端側に基板と接続する接続部とを有する第二片と、前記第一片と前記第二片とを連結する連結部とを備え、前記第一片の接触部と前記連結部と前記接続部とを略クランク形状に配置するとともに前記押受部と前記接続部との間に前記回動部材の押圧部が回動できる保持手段を設け、
前記ハウジングには前記コンタクトの接触部を被覆する天井部を備え、
前記回動部材には、回動させるための操作部と長手方向に連設した押圧部と前記押受部が挿入できる別個独立の係止孔とを備え、前記押圧部が前記コンタクトの接続部と押受部との間で回動するように前記ハウジングに装着するとともに前記押圧部が回動する時は回転軸が移動してコンパクトな回転をし、前記操作部を前記ハウジングの嵌合口方向に回動することで前記コンタクトの接触部を前記接続対象物に接触させ、
前記基板に切欠き部を設け、前記コネクタを該切欠き部に落とし込むように接続し、長手方向両側に前記基板に固定するための固定具を配置し、前記固定具と一体若しくは別体に前記コンタクトの接続部側に前記基板と垂直に突出した突出片をコネクタの長手方向両側若しくはどちらか一方に設け、前記突出片により前記回動部材が開いた際に前記回動部材の回転角度を制限することを特徴とするコネクタ。
【請求項４】
基板の側面に取付けられるコネクタであって、接続対象物と接触する１個の接触部を有する複数のコンタクトと、該コンタクトが配列・保持されるとともに前記接続対象物が挿入される嵌合口を上部に有するハウジングと、前記コンタクトを弾性変形させて前記接続対象物に押圧する回動部材とを備えるコネクタにおいて、
前記コンタクトには一端側に前記接続対象物と接触する接触部と他端側に前記回動部材により押圧される押受部とを有する第一片と、一端側に前記接続対象物の挿入方向へ突出した延設部と他端側に基板と接続する接続部とを有する第二片と、前記第一片と前記第二片とを連結する連結部とを備えるとともに前記押受部と前記接続部との間に前記回動部材の押圧部が回動できる保持手段を設け、
前記ハウジングには前記コンタクトの接触部を被覆する天井部を備え、
前記回動部材には、回動させるための操作部と長手方向に連設した押圧部と前記押受部が挿入できる別個独立の係止孔とを備え、前記押圧部が前記コンタクトの接続部と押受部との間で回動するように前記ハウジングに装着するとともに前記押圧部が回動する時は回転軸が移動してコンパクトな回転をし、前記操作部を前記ハウジングの嵌合口方向に回動することで前記コンタクトの接触部を前記接続対象物に接触させ、
前記基板に切欠き部を設け、前記コネクタを該切欠き部に落とし込むように接続し、長手方向両側に前記基板に固定するための固定具を配置し、前記固定具と一体若しくは別体に前記コンタクトの接続部側に前記基板と垂直に突出した突出片をコネクタの長手方向両側若しくはどちらか一方に設け、前記突出片により前記回動部材が開いた際に前記回動部材の回転角度を制限することを特徴とするコネクタ。
【請求項５】
前記ハウジングには、前記回動部材と接する側で前記コンタクトに対応する位置にスリットを設けることを特徴とする請求項１〜４のいずれか１項記載のコネクタ。
【請求項６】
前記ハウジングには、さらに長手方向両側に前記基板と接する面を有する延設部を設け、前記固定具は、さらに長手方向両側に前記延設部の下面側を覆うように配置され、前記突出片は、さらに前記回動部材の奥行壁に接するように設けられ、前記延設部と前記基板の下面が接するように前記コネクタを前記基板に接続することを特徴とする請求項１〜５のいずれか１項記載のコネクタ。
【請求項７】
前記回動部材の長手方向両側にスリット部によって分けられた弾性を有する板状片を設けるとともに該板状片の先端に突起を設け、前記固定具と一体若しくは別体に、前記ハウジングの天井部と略垂直な弾性を有する突出部を設け、前記回動部材が閉じられた際に前記回動部材の突起が前記突出部の内側に係合することを特徴とする請求項１〜６のいずれか１項記載のコネクタ。
【請求項８】
前記回動部材の長手方向両側にスリット部によって分けられた弾性を有する板状片を設けるとともに該板状片の先端に突起を設け、前記固定具と一体若しくは別体に、前記ハウジングの側壁と並行な弾性を有する突出部を設けるとともに該突出部と前記ハウジングの側壁の間に空間部を設け、前記回動部材が閉じられた際に前記回動部材の突起が前記空間部に入ることで前記回動部材が保持されることを特徴とする請求項１〜７のいずれか１項記載のコネクタ。
【請求項９】
前記接続対象物の長手方向両側に係止部を設けるとともに前記回動部材には前記接続対象物の係止部に対応する位置に前記係止部と係合する係合凸部を設け、前記回動部材が閉じた際に前記係合凸部と前記係止部が係合することで前記接続対象物を保持することを特徴とする請求項１〜８のいずれか１項記載のコネクタ。
【請求項１０】
前記ハウジングの延設部に、前記基板と接する面側に前記基板との位置決めのための位置決めピンを別体若しくは一体に設けることを特徴とする請求項６〜９のいずれか１項記載のコネクタ。
【請求項１１】
前記コンタクトの接続部の上面側で前記基板に接続するとともに前記回動部材を前記コネクタ搭載面と逆側で操作することを特徴とする請求項１〜１０のいずれか１項記載のコネクタ。
【請求項１２】
前記ハウジングには、前記天井部の少なくとも両端側には前記接続対象物が上方向にコジられた際の前記天井部の浮き上がりを防止する防止壁を形成することを特徴とする請求項１、３、および５〜１１のいずれか１項記載のコネクタ。
【請求項１３】
前記防止壁を、さらに中央部付近若しくは全体に形成することを特徴とする請求項１２記載のコネクタ。
【請求項１４】
前記保持手段として、少なくとも一つのコンタクトおきに、前記第一片の前記押受部に前記接続部方向に突出する凸部を設けるとともに前記第二片の接続部先端付近に前記押受部方向に突出する突起部を設けることを特徴とする請求項１〜１３のいずれか１項記載のコネクタ。
【請求項１５】
前記保持手段として、少なくとも一つのコンタクトおきに、前記第二片の接続部と連結部との間に前記押受部方向に突出する凸を設けることを特徴とする請求項１〜１４のいずれか１項記載のコネクタ。
【請求項１６】
前記保持手段として、前記第一片の前記押受部に前記接続部方向に突出する凸部及び前記第二片の接続部先端付近に前記押受部方向に突出する突起部を設けるコンタクトと、前記第二片の接続部と連結部との間に前記押受部方向に突出する凸を設けるコンタクトとを、交互に並べて前記凸部および前記突起部と前記凸とを千鳥状に配置することを特徴とする請求項１〜１３のいずれか１項記載のコネクタ。
【請求項１７】
前記第一片の押受部先端に突出部を設けることを特徴とする請求項１〜１６のいずれか１項記載のコネクタ。
【請求項１８】
前記接続対象物を前記コネクタに接続する場合に、前記接続対象物と前記コネクタとの接続前の状態では前記回動部材の押圧部の下端が前記凸に接した状態にあり、第二に前記操作部を回動させると前記押圧部の下端が前記凸に接した状態で下端側のＲの中心を回転軸として回動し前記押圧部がやや傾斜した状態になり、第三にさらに回動させると第二の状態から前記下端が前記接続部方向に幾分移動し前記押圧部の中心を回転軸として回動し前記押圧部がほぼ垂直な状態になり、第四にさらに回動させると第三の状態から更に前記下端が前記接続部側に移動し前記押圧部の上端が前記凸部側に移動し前記押圧部が垂直な状態になり、第五にさらに回動させると第四の状態から更に前記下端が前記接続部側に移動し前記押圧部の上端が前記凸部に接触した状態になり、最後に第五の状態からさらに回動させると前記押圧部は前記上端のＲの中心を回転軸として前記回動部材を前記ハウジングの嵌合口方向に回動することで前記コンタクトの接触部を前記接続対象物に接触させることを特徴とする請求項１３〜１７項のうちいずれか１項記載のコネクタ。
【発明の詳細な説明】
【技術分野】
【０００１】
本発明は、モバイル機器等の電気・電子機器に使用されるコネクタに関するもので、特にフレキシブルプリント基板（以下「ＦＰＣ」という）やフレキシブルフラットケーブル（以下「ＦＦＣ」という）等の接続対象物との安定した接続が得られ、コネクタの低背化や基板のデットスペース削減や基板の側面に取り付けられる構造に関するものである。
【背景技術】
【０００２】
携帯電話やＣＣＤカメラ等に使用されるコネクタは、狭ピッチで極薄（所謂軽薄短小）であり、主にハウジングとコンタクトとスライダーとから構成され、ハウジングとスライダーとでＦＰＣ又はＦＦＣを挟持する構造である。ハウジングとスライダーとでＦＰＣ又はＦＦＣを保持する方法には、色々考えられるが、中でもハウジングにＦＰＣ又はＦＦＣを挿入した後にスライダーを挿入しＦＰＣ又はＦＦＣをコンタクトに押しつける構造のものが多い。
また、近年では、上述のスライダーに代えて、回動部材を使用して、コンタクトをＦＰＣ等の接続対象物に接触させる構造のものが増えてきている。このような構造の中にも、回動部材を接続対象物の挿入側で回動させるタイプ（フロント回動タイプ）と逆に挿入側と反対側で回動させるタイプ（バック回動タイプ）のものがある。【０００３】
そのような構造以外にも、以下に示す特許文献１〜７のような回動部材等を使用して、コンタクトをＦＰＣ等の接続対象物に接触させる構造のものがある。
フロント回動タイプには特許文献１があり、バック回動タイプには特許文献２や特許文献３や特許文献４などがある。また、本出願人はバック回動タイプとして、さらに、特許文献５や特許文献６や特許文献７を提案している。
【特許文献１】特開２０００−１０６２３８号公報
【特許文献２】特開２００２−２７０２９０号公報
【特許文献３】特開平１１−３０７１９８号公報
【特許文献４】特開２００４−７１１６０号公報
【特許文献５】特開２００４−２３３１９７号公報
【特許文献６】特願２００５−３７３３０号公報
【特許文献７】特願２００５−１５０５２７号公報
【特許文献８】特願２００５−２９４０６３号公報
【０００４】
特許文献１の要約によると、ケーブルの芯数が多い場合でも操作力が小さくてすむケーブル用コネクタを提供することを目的とし、ケーブルの一面に対向する接触部とケーブルの反対面に対向する枢支部とを有するコンタクトと、ケーブルを接触部に圧接させるための操作子とを含み、操作子は、枢支部とケーブルとの間に位置するカム部と、枢支部が隙間をもって挿入された穴とを有し、枢支部はカム部に対応して凹部を有し、こうして操作子を枢支部に対しカム部を中心として回動自在なように係合させた構造のケーブル用コネクタが開示されている。
ちなみに、特許文献１の特許請求の範囲には、請求項１として、ケーブルの一面に対向する接触部と該ケーブルの反対面に対向する枢支部とを有するコンタクトと、前記コンタクトを保持したインシュレータと、前記ケーブルを前記接触部に圧接させるための操作子とを含むケーブル用コネクタにおいて、前記操作子は、前記枢支部と前記ケーブルとの間に位置するカム部と、前記枢支部を隙間をもって挿入された穴とを有し、前記枢支部は前記カム部に対応して凹部を有し、これにより前記操作子を前記枢支部に対し前記カム部を中心として回動自在なように係合させる構造のケーブル用コネクタ。請求項２として、前記インシュレータは、ケーブルの非接続時に前記操作子と係合し前記カム部が前記接触部から離間した状態に前記操作子を保持する係止部を有する構造のケーブル用コネクタ。請求項３として、前記ケーブルは平板状ケーブルであり、前記インシュレータはケーブルの接続時に前記平板状ケーブルの側縁部を受け入れて板厚方向への移動を係止するケーブル係止溝を有する構造のケーブル用コネクタ。請求項４として、コンタクトの接触部に一面を対向させたケーブルの反対面を回転式の操作子により前記接触部に向けて押圧することで前記コンタクトと前記ケーブルとの接続を得るケーブル用コネクタにおいて、前記接触部に少なくとも２つのコンタクト側突起を設け、一方、前記操作子には前記コンタクト側突起間に対応する操作子側突起を設ける構造のケーブル用コネクタ。請求項５として、前記コンタクトは前記ケーブルの反対面に対向する枢支部を有し、前記操作子は前記枢支部と前記ケーブルとの間に位置するカム部を有し、前記カム部に前記操作子側突起を設ける構造のケーブル用コネクタ等が開示されている。【０００５】
特許文献２の要約によると、アクチュエータを小さい操作力で操作でき、また、アクチュエータによるコンタクトの移動量を大きくして接続を確実に行うことができ、更に、低背のコネクタを提供することを目的とし、アクチュエータは、カム部と操作部を有し、前記両部の間に各コンタクトのばね部の先端付近が挿入脱出可能な逃げ溝を形成され、アクチュエータを支点を中心として９０°右回転すると、カム部は各コンタクトのばね部と連結ばね部を弾性変形させ、すると、接触部の突起と接触部の突起との間で、ＦＰＣは挟圧され、したがって、ＦＰＣのパターンは、各コンタクトの端子部を介してプリント基板に接続され、インシュレータの天井部は、各コンタクトの接触部を被覆し、天井部の前面側の下部には、ＦＰＣをコネクタに挿入するためのガイド部が形成された構造のコネクタが開示されている。
ちなみに、特許文献２の特許請求の範囲には、請求項１として、コンタクトと、前記コンタクトを保持するインシュレータと、前記インシュレータに回転可能に取り付けられ、かつ、前記コンタクトを弾性変形させて接続対象物に接触させることができるアクチュエータとから構成されるコネクタにおいて、前記コンタクトは、一方側に前記接続対象物との接触部を、他方側に前記アクチュエータによる被作動部を、それぞれ有する第１のビームと、一方側に前記接続対象物との接触部を、他方側にプリント基板と接続する端子部を、それぞれ有する第２のビームと、前記第１のビームと前記第２のビームとを連結する連結ばね部とから構成され、前記インシュレータは、前記コンタクトの少なくとも一方の接触部を嵌合側から被覆する天井部を有し、前記天井部に前記接続対象物の挿入をガイドするガイド部が形成される構造のコネクタ。請求項２として、前記コンタクトの少なくとも一方の接触部は、前記連結ばね部の近傍に前記接続対象物に向かって傾斜する傾斜部を有する構造のコネクタ。請求項３として、前記アクチュエータは、操作部と、前記コンタクトの被作動部を作動するカム部と、前記操作部と前記カム部との間に位置する逃げ溝とを有し、前記接続対象物と前記コネクタとの接続前の状態では、前記被作動部が前記逃げ溝に挿入可能である構造のコネクタ。請求項４として、コンタクトと、前記コンタクトを保持するインシュレータと、前記インシュレータに回転可能に取り付けられ、かつ、前記コンタクトを弾性変形させて接続対象物に接触させることができるアクチュエータとから構成されるコネクタにおいて、前記コンタクトは、一方側に前記接続対象物との接触部を、他方側に前記アクチュエータによる被作動部を、それぞれ有する第１のビームと、一方側に前記接続対象物との接触部を、他方側にプリント基板と接続する端子部を、それぞれ有する第２のビームと、前記第１のビームと前記第２のビームとを連結する連結ばね部とから構成され、前記第１のビームの接触部は、前記接続対象物に向かって突出する第１の突起と第２の突起とを前記接続対象物の挿入方向に並んで有し、前記第２のビームの接触部は、前記接続対象物に向かって突出する第３の突起と第４の突起とを前記接続対象物の挿入方向に並んで有し、前記第３の突起が前記第１の突起と前記第２の突起との間に位置するか、又は、前記第１の突起が前記第３の突起と前記第４の突起との間に位置し、前記第１の突起と前記第２の突起、又は、前記第３の突起と前記第４の突起が、前記接続対象物と接触する接点となる構造のコネクタ等が開示されている。【０００６】
特許文献３の要約によると、複数の端子を接続し、ＦＰＣ等を保持するプリント配線板用コネクターの操作性、保持性能を向上することを目的とし、ハウジングに、ＦＰＣ等が差し込まれる挿入溝を設け、複数のコンタクトを、接触部を挿入溝に対して突出後退自在に、並列して設け、操作部材を、接続位置と解除位置とに回動自在に設け、操作部材に、複数のカムを設け、操作部材が接続位置のとき、コンタクトが、カムに被操作部を押圧されて接触部を挿入溝に突出させ、ＦＰＣ等の端子に圧接して、端子を接続すると共にＦＰＣ等を保持し、操作部材が解除位置のとき、一部のコンタクトが、カムに被操作部を押圧されて接触部を挿入溝に対して僅かに突出させ、ＦＰＣ等に当接して、ＦＰＣ等を仮保持し、残りのコンタクトは、接触部を挿入溝に対して後退させる構造のプリント配線板用コネクターが開示されている。
ちなみに、特許文献３の特許請求の範囲には、請求項１として、複数のコンタクトが並列して設けられ、ＦＰＣ等の複数の端子を一括して接続するプリント配線板用コネクターにおいて、前記ＦＰＣ等が差し込まれる挿入溝を有するハウジングを備え、前記コンタクトは、前記挿入溝に対して突出後退自在に配置され、操作部材が、接続位置と解除位置とに移動自在に設けられ、前記操作部材が前記接続位置のとき、前記コンタクトは、前記操作部材に押圧されて前記挿入溝に突出し、前記ＦＰＣ等の前記端子に圧接して、前記端子と接続すると共に前記ＦＰＣ等を保持し、前記操作部材が前記解除位置のとき、一部の前記コンタクトは、前記挿入溝に対して僅かに突出し、前記ＦＰＣ等に当接して、前記ＦＰＣ等を仮保持し、残りの前記コンタクトは、前記挿入溝に対して後退するように構成される構造のプリント配線板用コネクター。請求項２として、複数のコネクターは、同一形状に形成され、操作部材には、複数のカムが、接続位置のとき、前記コンタクトを押圧して挿入溝に対して突出させ、解除位置のとき、一部の前記コンタクトを押圧して前記挿入溝に対して僅かに突出させ、残りの前記コンタクトを前記挿入溝に対して後退させるように設けられる構造のプリント配線板用コネクター等が開示されている。【０００７】
特許文献４の要約によると、各部位の強度や仕様等を損なうことなく、スライダーでＦＰＣ又はＦＦＣを確実にコンタクトの接触部に押圧することができ、作業性がよく、ピッチの狭小化や低背化が可能なコネクタを提供することを目的とし、コンタクトの接触部と接続部との間に弾性部と支点部とを設けるとともに接触部と弾性部と支点部と接続部とを略クランク形状に配置し、かつ、接続部と対向する位置に弾性部から延設された押受部を設け、スライダーに長手方向に連設した押圧部を設け、押圧部がコンタクトの接続部と押受部との間で回動自在にスライダーをハウジングに装着する構造のコネクタが開示されている。
ちなみに、特許文献４の特許請求の範囲には、請求項１として、フレキシブルプリント基板（ＦＰＣ）又はフレキシブルフラットケーブル（ＦＦＣ）と着脱自在に嵌合するコネクタであって、該フレキシブルプリント基板又は前記フレキシブルフラットケーブルと接触する接触部を有する所要数のコンタクトと、このコンタクトが保持・固定されるとともに前記フレキシブルプリント基板又は前記フレキシブルフラットケーブルが挿入される嵌合口を有するハウジングと、前記フレキシブルプリント基板（ＦＰＣ）又は前記フレキシブルフラットケーブル（ＦＦＣ）を前記コンタクトに押圧するスライダーとを備えるコネクタにおいて、前記コンタクトの接触部と接続部との間に弾性部と支点部とを設けるとともに前記接触部と前記弾性部と前記支点部と前記接続部とを略クランク形状に配置し、かつ、前記接続部と対向する位置に前記弾性部から延設された押受部を設け、前記スライダーに長手方向に連設した押圧部を設け、該押圧部が前記コンタクトの接続部と押受部との間で回動自在に前記スライダーを前記ハウジングに装着する構造のコネクタ。請求項２として、フレキシブルプリント基板（ＦＰＣ）又はフレキシブルフラットケーブル（ＦＦＣ）と着脱自在に嵌合するコネクタであって、該フレキシブルプリント基板又は前記フレキシブルフラットケーブルと接触する接触部を有する所要数のコンタクトと、このコンタクトが保持・固定されるとともに前記フレキシブルプリント基板又は前記フレキシブルフラットケーブルが挿入される嵌合口を有するハウジングと、前記フレキシブルプリント基板（ＦＰＣ）又は前記フレキシブルフラットケーブル（ＦＦＣ）を前記コンタクトに押圧するスライダーとを備えるコネクタにおいて、２種類のコンタクトを千鳥に配置し、一方のコンタクトには、接触部と接続部との間に弾性部と支点部とを設けるとともに前記接触部と前記弾性部と前記支点部と前記接続部とを略クランク形状に配置し、かつ、前記接続部と対向する位置に前記弾性部から延設された押受部を設け、もう一方のコンタクトには、接触部と接続部との間に弾性部と支点部とを設けるとともに前記接触部と前記弾性部と前記支点部と前記接続部とを略コ字状に配置し、かつ、前記弾性部から接触部と反対方向に延設された押受部を設け、前記スライダーに長手方向に連設した押圧部を設け、該押圧部が一方のコンタクトの接続部と押受部との間及びもう一方のコンタクトの押受部と前記ハウジングとの間で回動自在に前記スライダーを前記ハウジングに装着する構造のコネクタ。請求項３として、前記スライダーの押圧部が一方の前記コンタクトの接続部と押受部との間で回動すると、前記押受部が押圧部によって押し上げられることで前記支点部を支点にし、前記弾性部が前記接触部側に傾くことによって、前記接触部が前記フレキシブルプリント基板（ＦＰＣ）又は前記フレキシブルフラットケーブル（ＦＦＣ）側に押圧される構造のコネクタ。請求項４として、一方若しくはもう一方の前記コンタクトの押受部の先端に突出部を設け、前記スライダーの押圧部が一方の前記コンタクトの接続部方向へ移動しないようにする構造のコネクタ。請求項５として、前記スライダーの押圧部の形状を細長形状にする構造のコネクタ。請求項６として、前記スライダーには、所要数の前記コンタクトの突出部と係合する係止孔を設け、該係止孔を別個独立にする構造のコネクタ。請求項７として、前記押圧部の細長形状を、楕円形にする構造のコネクタ。請求項８として、一方の前記コンタクトの支点部から延設した方向にも前記フレキシブルプリント基板（ＦＰＣ）又は前記フレキシブルフラットケーブル（ＦＦＣ）と接触する接触部を設ける構造のコネクタ。請求項９として、もう一方のコンタクトの前記支点部から接続部と反対方向に延設された延設部を設け、前記スライダーの押圧部が延設部と押受部との間で回動自在に前記スライダーを前記ハウジングに装着する構造のコネクタ。請求項１０として、もう一方の前記コンタクトの支点部と接続部との間にも前記フレキシブルプリント基板（ＦＰＣ）又は前記フレキシブルフラットケーブル（ＦＦＣ）と接触する接触部を設ける構造のコネクタ等が開示されている。【０００８】
特許文献５の要約によると、コネクタの小型化や低背化が図れ簡単な操作や小さな操作力で安定した接続が得られ接続対象物がコジられても接続不良に繋がらないコネクタを提供することを目的とし、コンタクトは一端側に接続対象物と接触する接触部と他端側に回動部材により押圧される押受部と押受部の先端に内側に突出した突出部と有する第一片と一端側に基板と接続する接続部と他端側に支点部を有する第ニ片と第一片と支点部とを連結する弾性部とを備え接触部と弾性部と支点部と接続部とを略クランク形状に配置し、ハウジングは少なくとも両端側には接続対象物が上方向にコジられた際の天井部の浮き上がりを防止する防止壁が形成され、回動部材は操作部と押圧部と突出部と係止孔とを備え押圧部が回動する時は回転軸が移動してコンパクトな回転をする構造のコネクタが開示されている。
特許文献５の特許請求の範囲には、請求項１として、接続対象物と接触する少なくとも１個の接触部を有する複数のコンタクトと、該コンタクトが配列・保持されるとともに前記接続対象物が挿入される嵌合口を有するハウジングと、前記コンタクトを弾性変形させて前記接続対象物に押圧する回動部材とを備えるコネクタにおいて、前記コンタクトは、一端側に前記接続対象物と接触する接触部と他端側に前記回動部材により押圧される押受部と該押受部の先端に内側に突出した突出部とを有する第一片と、一端側に支点部と他端側に基板と接続する接続部とを有する第ニ片と、前記第一片と前記支点部とを連結する弾性部とを備え、前記接触部と前記弾性部と前記支点部と前記接続部とを略クランク形状に配置し、前記ハウジングは、前記コンタクトの接触部を被覆する天井部を備え、該天井部の少なくとも両端側には前記接続対象物が上方向にコジられた際の前記天井部の浮き上がりを防止する防止壁が形成され、前記回動部材は、回動させるための操作部と長手方向に連設した押圧部と前記押受部が挿入でき前記突出部と係合する別個独立の係止孔とを備え、前記押圧部が前記コンタクトの接続部と押受部との間で回動するように前記ハウジングに装着するとともに前記押圧部が回動する時は回転軸が移動してコンパクトな回転をすることを特徴とするコネクタ。請求項２として、接続対象物と接触する少なくとも１個の接触部を有する複数のコンタクトと、該コンタクトが配列・保持されるとともに前記接続対象物が挿入される嵌合口を有するハウジングと、前記コンタクトを弾性変形させて前記接続対象物に押圧する回動部材とを備えるコネクタにおいて、２種類のコンタクトを千鳥に配置し、一方の前記コンタクトは、一端側に前記接続対象物と接触する接触部と他端側に前記回動部材により押圧される押受部とを有する第一片と、一端側に支点部と他端側に基板と接続する接続部とを有する第ニ片と、前記第一片と前記支点部とを連結する弾性部とを備え、前記接触部と前記弾性部と前記支点部と前記接続部とを略クランク形状に配置し、もう一方のコンタクトは、一端側に前記接続対象物と接触する接触部と他端側に前記回動部材により押圧される押受部とを有する第一片と、一端側に基板と接続する接続部と他端側に支点部とを有する第ニ片と、前記第一片と前記支点部とを連結する弾性部とを備え、前記接触部と前記弾性部と前記支点部と前記接続部とを略コ字状に配置するとともに少なくとも一方又はもう一方のコンタクトの押受部の先端に内側に突出した突出部を設け、前記ハウジングは、前記コンタクトの接触部を被覆する天井部を備え、該天井部の少なくとも両端側には前記接続対象物が上方向にコジられた際の前記天井部の浮き上がりを防止する防止壁が形成され、前記回動部材は、回動させるための操作部と長手方向に連設した押圧部と前記押受部が挿入でき前記突出部と係合する別個独立の係止孔とを備え、前記押圧部が一方の前記コンタクトの接続部と押受部との間及びもう一方のコンタクトの押受部と前記ハウジングとの間で回動するように前記ハウジングに装着するとともに前記押圧部が回動する時は回転軸が移動してコンパクトな回転をすることを特徴とするコネクタ。請求項３として、前記接続対象物を前記コネクタに接続する場合に、前記接続対象物と前記コネクタとの接続前の状態では前記押圧部の下端側が前記押受部の突出部と接続部、ハウジング若しくは延設部との間に位置し、第ニに前記操作部を回動させると前記押圧部が嵌合口と反対方向に移動し下端が前記押受部の突出部と接続部、ハウジング若しくは延設部との間に挟持され、第三に前記操作部をさらに回動させると第ニの位置で前記押圧部が押圧部の中心を回転軸として回動し、第四に前記操作部をさらに回動させると第三の位置で前記押圧部が押圧部の中心を回転軸として回動し前記押圧部が前記押受部と前記接続部、ハウジング若しくは延設部との間でほぼ垂直になり回転軸が前記突出部に接した上端側に移動し、最後に前記操作部をさらに回動させると第四の位置で前記押圧部が前記突出部に接した上端側を中心に回動し前記押圧部を前記突出部に係合させることを特徴とする請求項１又は２記載のコネクタ。請求項４として、前記天井部のほぼ中央部付近にも前記接続対象物が上方向にコジられた際の前記天井部の浮き上がりを防止する防止壁を形成することを特徴とする請求項１、２又は３記載のコネクタ。請求項５として、前記コンタクト及び一方の前記コンタクトの支点部から前記接触部と対向する方向に突出する延設部を設けることを特徴とする請求項１又は２記載のコネクタ。請求項６として、もう一方の前記コンタクトの前記支点部から前記押受部と対向する方向に突出する延設部を設け、前記回動部材の押圧部が延設部と押受部との間で回動するように前記回動部材を前記ハウジングに装着することを特徴とする請求項２記載のコネクタ。請求項７として、前記コンタクトと一方の前記コンタクトの延設部及びもう一方の前記コンタクトの支点部と接続部との間にも前記接続対象物と接触する接触部を設けることを特徴とする請求項２、４又は５記載のコネクタ。請求項８として、前記ハウジングには前記嵌合口側に前記接続対象物を誘う凹部を設け、もう一方のコンタクトの接続部が前記凹部から突出しないように配置することを特徴とする請求項２又は３載のコネクタ。請求項９として、前記接続対象物に係止部を設け、該係止部と係合する係合部を有するとともに前記コンタクト、一方の前記コンタクト若しくはもう一方の前記コンタクトと同一構造にしたロック部材を使用することを特徴とする請求項１から８項のうちいずれか１項記載のコネクタ。請求項１０として、前記コンタクトと一方の前記コンタクトの延設部及びもう一方の前記コンタクトの支点部と接続部との間に設ける前記接触部に弾性を持たせることを特徴とする請求項７記載のコネクタ。請求項１１として、前記ハウジングに、前記コンタクト及び一方の前記コンタクトの接続部に対応した位置に係止部を設け、前記コンタクト及び一方の前記コンタクトの接続部に前記係止部と係合する斜めの係合部を設け、前記コンタクト及び一方の前記コンタクトの延設部は前記ハウジングに保持されないことを特徴とする請求項９又は１０記載のコネクタ。請求項１２として、前記コンタクト及び一方の前記コンタクトを、前記ハウジングに嵌合口と反対側より挿入していくと、前記係合部に前記係止部が係合し始めた段階では前記コンタクトの接触部は前記ハウジングの挿入孔と略平行状態であるが、さらに挿入されると前記コンタクトは斜めに傾き前記接触部は前記挿入孔の上壁と接し、挿入が完了すると斜めの前記凹部により前記接触部が前記挿入孔と平行状態に戻ることを特徴とした請求項１１記載のコネクタ等が開示されている。【０００９】
特許文献６の要約によると、更なる低背化と回動部材の操作性を考慮し基板の側面に取付る構造のコネクタを提供することを目的として、略Ｈ形状をしたコンタクトと、長手方向両側に基板に固定するための固定具と、コンタクトの接触部を被覆する天井部を備え天井部の嵌合口側の端部には接続対象物が上方向にコジられた際の天井部の浮き上りを防止する防止壁が形成され長手方向両側に固定具を保持する延設壁を設け延設壁と回動部材の軸受け部との間にスリットを設けるハウジングと、操作部と押圧部と係止孔とを備え押圧部がコンタクトの接続部と押受部との間で回転軸が移動してコンパクトな回動するようにハウジングに装着する回動部材とを備え、基板に切欠き部を設けコネクタを切欠き部に落込むように接続する構造のコネクタが開示されている。 
ちなみに、特許文献６の特許請求の範囲には、請求項１として、基板の側面に取り付けられるコネクタであって、接続対象物と接触する少なくとも１つの接触部を有する複数のコンタクトと、該コンタクトが配列・保持されるとともに前記接続対象物が挿入される嵌合口を有するハウジングと、前記コンタクトを弾性変形させて前記接続対象物に押圧する回動部材とを備えるコネクタにおいて、一端側に前記接続対象物と接触する接触部と他端側に前記回動部材により押圧される押受部と該押受部の先端に内側に突出した突出部とを有する第一片と、一端側にもう一つの接触部と他端側に基板と接続する接続部ともう一つの前記接触部と前記接続部との間に支点部とを有する第ニ片と、前記第一片と前記支点部とを連結する弾性部とを備え、前記接触部と前記弾性部と前記支点部と前記接続部とを略クランク形状に配置するコンタクトと、長手方向両側に前記基板に固定するための固定具と、前記コンタクトの接触部を被覆する天井部を備えるとともに該天井部の前記嵌合口側の端部には前記接続対象物が上方向にコジられた際の前記天井部の浮き上がりを防止する防止壁が形成され、長手方向両側に前記固定具を保持する延設壁を設けるとともに該延設壁と前記回動部材の軸受け部との間にスリットを設けるハウジングと、回動させるための操作部と長手方向に連設した押圧部と前記押受部が挿入でき前記突出部と係合する別個独立の係止孔とを備え、前記押圧部が前記コンタクトの接続部と押受部との間で回動するように前記ハウジングに装着するとともに前記押圧部が回動する時は回転軸が移動してコンパクトな回転をする回動部材とを備え、前記基板に切欠き部を設け、前記コネクタを該切欠き部に落とし込むように接続することを特徴とするコネクタ。請求項２として、前記コンタクトの接続部の上面側で前記基板に接続するとともに前記回動部材を前記コネクタ搭載面と逆側で操作することを特徴とする請求項１記載のコネクタ。請求項３として、前記接続対象物を前記コネクタに接続する場合に、前記接続対象物と前記コネクタとの接続前の状態では前記押圧部の下端側が前記押受部の突出部と接続部との間に位置し、第ニに前記操作部を回動させると前記押圧部が嵌合口と反対方向に移動し下端が前記押受部の突出部と接続部との間に挟持され、第三に前記操作部をさらに回動させると第ニの位置で前記押圧部が押圧部の中心を回転軸として回動し、第四に前記操作部をさらに回動させると第三の位置で前記押圧部が押圧部の中心を回転軸として回動し前記押圧部が前記押受部と前記接続部との間でほぼ垂直になり回転軸が前記突出部に接した上端側に移動し、最後に前記操作部をさらに回動させると第四の位置で前記押圧部が前記突出部に接した上端側を中心に回動し前記押圧部を前記突出部に係合させることを特徴とする請求項１又は２記載のコネクタ等が開示されている。【００１０】
特許文献７の要約によると、コネクタの１．０ｍｍ程度までの低背化、基板の小スペース化（奥行き方向）が図れ、小さな操作力で安定した接続が得られ、接続対象物がコジられても接続不良に繋がらないコネクタを提供することを目的として、略Ｈ形状をしたコンタクトに、接触部と押受部とを有する第一片と接触部と接続部とを有する第二片とこれらを連結する連結部とを備え、押受部と接続部との間に前記回動部材の押圧部が回動できる保持手段を設け、ハウジングに、天井部と天井部の少なくとも両端側には接続対象物が上方向にコジられた際の天井部の浮き上がりを防止する防止壁が形成され、前記回動部材に、操作部と押圧部と別個独立の係止孔とを備え、操作部をハウジングの嵌合口方向に回動することでコンタクトの接触部を接続対象物に接触させる構造のコネクタが開示されている。
ちなみに、特許文献７の特許請求の範囲には、請求項１として、接続対象物と接触する少なくとも１個の接触部を有する複数のコンタクトと、該コンタクトが配列・保持されるとともに前記接続対象物が挿入される嵌合口を有するハウジングと、前記コンタクトを弾性変形させて前記接続対象物に押圧する回動部材とを備えるコネクタにおいて、前記コンタクトは、一端側に前記接続対象物と接触する接触部と他端側に前記回動部材により押圧される押受部とを有する第一片と、一端側に前記接続対象物と接触するもう一つの接触部と他端側に基板と接続する接続部とを有する第ニ片と、前記第一片と前記第二片とを連結する連結部とを備え、前記第一片の接触部と前記連結部と前記接続部とを略クランク形状に配置するとともに前記押受部と前記接続部との間に前記回動部材の押圧部が回動できる保持手段を設け、前記ハウジングは、前記コンタクトの接触部を被覆する天井部を備え、該天井部の少なくとも両端側には前記接続対象物が上方向にコジられた際の前記天井部の浮き上がりを防止する防止壁が形成され、前記回動部材は、回動させるための操作部と長手方向に連設した押圧部と前記押受部が挿入できる別個独立の係止孔とを備え、前記押圧部が前記コンタクトの接続部と押受部との間で回動するように前記ハウジングに装着するとともに前記押圧部が回動する時は回転軸が移動してコンパクトな回転をし、前記操作部を前記ハウジングの嵌合口方向に回動することで前記コンタクトの接触部を前記接続対象物に接触させることを特徴とするコネクタ。請求項２として、前記保持手段として、少なくとも一つのコンタクトおきに、前記第一片の前記押受部に前記接続部方向に突出する凸部を設けるとともに前記第二片の接続部先端付近に前記押受部方向に突出する突起部を設けることを特徴とする請求項１記載のコネクタ。請求項３として、前記保持手段として、少なくとも一つのコンタクトおきに、前記第二片の接続部と連結部との間に前記押受部方向に突出する凸を設けることを特徴とする請求項１記載のコネクタ。請求項４として、前記凸部及び前記突起部を設けるコンタクトと、前記凸を設けるコンタクトとを、千鳥に配置することを特徴とする請求項２又は３記載のコネクタ。請求項５として、前記第一片の押受部先端に突出部を設けることを特徴とする請求項２、３又は４記載のコネクタ。請求項６として、前記防止壁を、中央部付近若しくは全体に形成することを特徴とする請求項１記載のコネクタ。請求項７として、前記接続対象物を前記コネクタに接続する場合に、前記接続対象物と前記コネクタとの接続前の状態では前記回動部材の押圧部の下端が前記凸に接した状態にあり、第二に前記操作部を回動させると前記押圧部の下端が前記凸に接した状態で下端側のＲの中心を回転軸として回動し前記押圧部がやや傾斜した状態になり、第三にさらに回動させると第二の状態から前記下端が前記接続部方向に幾分移動し前記押圧部の中心を回転軸として回動し前記押圧部がほぼ垂直な状態になり、第四にさらに回動させると第三の状態から更に前記下端が前記接続部側に移動し前記押圧部の上端が前記凸部側に移動し前記押圧部が垂直な状態になり、第五にさらに回動させると第四の状態から更に前記下端が前記接続部側に移動し前記押圧部の上端が前記凸部に接触した状態になり、最後に第五の状態からさらに回動させると前記押圧部は前記上端のＲの中心を回転軸として前記回動部材を前記ハウジングの嵌合口方向に回動することで前記コンタクトの接触部を前記接続対象物に接触させることを特徴とする請求項１〜６項のうちいずれか１項記載のコネクタ等が開示されている。【００１１】
特許文献８の要約によると、基板のデットスペース（奥行き方向）を小さくし、かつ、コネクタの低背も維持しつつ、接続不良や破損等のないコネクタの提供を目的とし、略Ｈ形状を有するコンタクト１４の押受部３４と接続部３６との間に回動部材１６の押圧部４８が回動できる保持手段を設け、ハウジング１２には回動部材１６と接する側でコンタクト１４に対応する位置にスリット２１を設け、回動部材１６の押圧部４８がコンタクト１４の接続部３６と押受部３４との間で回動し、操作部４６をハウジング１２の嵌合口１８方向に回動することでコンタクト１４の接触部３２を接続対象物に接触させ、基板８０に切欠き部８２を設け、コネクタ１０を切欠き部８２に落とし込むように接続し、長手方向両側に基板に固定するための固定具を配置し、固定具１７の突出片６０により回動部材１６が開いた際に回動部材１６の回転角度を制限するコネクタが開示されている。
【発明の開示】
【発明が解決しようとする課題】
【００１２】
上記のような特許文献１〜５は、いずれも回動部材を嵌合口側若しくは嵌合口の反対側で、回動させることで、ＦＰＣ等の接続対象物にコンタクトを接触させる構造のもので、基板の上面若しくは下面に搭載されるものである。
客先の仕様や基板の実装スペース上から上記特許文献１〜５の構造のコネクタでも基板の側面側に取り付けられることが多いが、客先の仕様によっては基板の片面側にのみ部品を搭載した場合に、特許文献１〜５のコネクタでは０．９ｍｍ（コネクタの実装高さ）以下の低背化をすることが出来ず、かつ、回動部材の操作が困難といった課題があったため、本出願人は特許文献６のような構造のコネクタを提案した。しかし、特許文献６の構造では回動部材がバックロックタイプで嵌合口と反対方向に倒す操作をするため、基板の切欠きスペース（特に奥行き）が大きくなり、基板のデットスペースが大きくなるといった課題があった。【００１３】
そのため、特許文献１のような嵌合口側で回動部材を操作するコネクタを使用することを考え、特許文献１の構造では上下接点にすることができないといった問題点があったため、さらに本出願人が提案した特許文献７の構造を使用することを考えた。しかし、特許文献７の構造では、回動部材の厚み分だけコネクタが厚くなるためコネクタの実装高さの０．９ｍｍを維持し難く、奥行き寸法を小さくした分だけ回動部材を回転した際に基板に接触してしまうため回動部材や基板の破損に繋がり、ＦＰＣ等の接続対象物が上方向にコジられた場合、回動部材の回転方向であるため回動部材の保持力が弱く、回動部材が外れ易く接続不良に繋がるといった問題点もあったため、本出願人は、特許文献８のような構造の提案を行なった。しかしながら、特許文献８の構造についてもコネクタの接続強度を維持しつつ、コネクタの長手方向のデットスペースを解消することは難しいといった問題点が残っていた。【００１４】
本発明の目的は、このような従来の問題点に鑑みてなされたもので、基板のデットスペース（奥行き方向及び長手方向）を小さくし、かつ、コネクタの接続強度も維持しつつ、接続不良や破損等のないコネクタを提供せんとするものである。
【課題を解決するための手段】
【００１５】
上記目的を達成するため、第１発明は、基板の側面に取り付けられるコネクタであって、接続対象物と接触する２個の接触部３２ａ及び３２ｂを有する複数のコンタクト１４と、該コンタクト１４が配列・保持されるとともに前記ＦＰＣ７０又はＦＦＣ等の接続対象物が挿入される嵌合口１８を前部に有するハウジング１２と、前記コンタクト１４を弾性変形させて前記接続対象物に押圧する回動部材１６とを備えるコネクタ１０において、前記コンタクト１４は、一端側に前記接続対象物と接触する接触部３２ａと他端側に前記回動部材１６により押圧される押受部３４とを有する第一片２８と、一端側に前記接続対象物と接触するもう一つの接触部３２ｂと他端側に基板と接続する接続部３６とを有する第二片３０と、前記第一片２８と前記第二片３０とを連結する連結部３８とを備え、前記第一片２８の接触部３２ａと前記連結部３８と前記接続部３６とを略クランク形状に配置するとともに前記押受部３４と前記接続部３６との間に前記回動部材１６の押圧部４８が回動できる保持手段を設け、前記ハウジング１２は、前記コンタクト１４の接触部３２ａ、３２ｂを被覆する天井部２０を備え、前記回動部材１６には、回動させるための操作部４６と長手方向に連設した押圧部４８と前記押受部３４が挿入できる別個独立の係止孔５０とを備え、前記押圧部４８が前記コンタクト１４の接続部３６と押受部３４との間で回動するように前記ハウジング１２に装着するとともに前記押圧部４８が回動する時は回転軸５４が移動してコンパクトな回転をし、前記操作部４６を前記ハウジング１２の嵌合口１８方向に回動することで前記コンタクト１４の接触部３２ａ、３２ｂを前記接続対象物に接触させ、前記基板８０に切欠き部８２を設け、前記コネクタ１０を該切欠き部８２に落とし込むように接続し、長手方向両側に前記基板８０に固定するための固定具１７を配置し、前記固定具１７と一体若しくは別体に前記コンタクト１４の接続部３６側に前記基板８０と垂直に突出した突出片６０をコネクタ１０の長手方向両側若しくはどちらか一方に設け、前記突出片６０により前記回動部材１６が開いた際に前記回動部材１６の回転角度を制限することにある。【００１６】
第２発明として、基板の側面に取り付けられるコネクタであって、接続対象物と接触する２個の接触部３２２ａ及び３２２ｂを有する複数のコンタクト１４と、該コンタクト１４２が配列・保持されるとともに前記接続対象物が挿入される嵌合口１８２を上部に有するハウジング１２２と、前記コンタクト１４２を弾性変形させて前記接続対象物に押圧する回動部材１６２とを備えるコネクタ１０２において、前記コンタクト１４２は、一端側に前記接続対象物と接触する接触部３２２ａと他端側に前記回動部材１６により押圧される押受部３４２とを有する第一片２８２と、一端側に前記接続対象物と接触するもう一つの接触部３２２ｂと他端側に基板と接続する接続部３６２とを有する第二片３０２と、前記第一片２８２と前記第二片３０２とを連結する連結部３８２とを備えるとともに前記押受部３４２と前記接続部３６２との間に前記回動部材１６２の押圧部４８２が回動できる保持手段を設け、前記ハウジング１２２は、前記コンタクト１４２の少なくとも一方の接触部３２２ａ、３２２ｂを被覆する天井部２０２を備え、前記回動部材１６２には、回動させるための操作部４６と長手方向に連設した押圧部４８と前記押受部３４２が挿入できる別個独立の係止孔５０とを備え、前記押圧部４８２が前記コンタクト１４２の接続部３６２と押受部３４２との間で回動するように前記ハウジング１２２に装着するとともに前記押圧部４８２が回動する時は回転軸５４が移動してコンパクトな回転をし、前記操作部４６を前記ハウジング１２２の嵌合口１８２方向に回動することで前記コンタクト１４２の接触部３２２を前記接続対象物に接触させ、前記基板８０に切欠き部８２を設け、前記コネクタ１０２を該切欠き部８２に落とし込むように接続し、長手方向両側に前記基板８０に固定するための固定具１７を配置し、前記固定具１７と一体若しくは別体に前記コンタクト１４２の接続部３６２側に前記基板８０と垂直に突出した突出片６０をコネクタ１０の長手方向両側若しくはどちらか一方に設け、前記突出片６０により前記回動部材１６２が開いた際に前記回動部材１６２の回転角度を制限することにある。【００１７】
第３発明は、第二片３０の一端側に設けた接触部３２ｂの代わりに、前記接続対象物の挿入方向へ突出した延設部３５を設けることにある。【００１８】
第４発明は、第２発明において、第二片３０２の一端側に設けた接触部３２２ｂの代わりに、前記接続対象物の挿入方向へ突出した延設部を設けることにある。【００１９】
第１〜第４発明では、いずれも前記回動部材１６と接する側で前記コンタクト１４または１４２に対応する位置にスリット２１を設けることが好ましい。【００２０】
第１〜第４発明では、いずれも前記ハウジング１２または１２２に、さらに長手方向両側に前記基板８０と接する面を有する延設部を設け、前記固定具は、さらに長手方向両側に前記延設部の下面側を覆うように配置され、前記突出片は、さらに前記回動部材の奥行壁５９に接するように設けられ、前記延設部と前記基板の下面が接するように前記コネクタを前記基板に接続することが好ましい。【００２１】
第１〜第４発明では、いずれも前記回動部材１６または１６２の長手方向両側にスリット部４７によって分けられた弾性を有する板状片４９を設けるとともに該板状片４９の先端５１に突起を設け、前記固定具と一体若しくは別体に、前記ハウジング１２の天井部２０と略垂直な弾性を有する突出部６２を設け、前記回動部材が閉じられた際に前記回動部材の突起が前記突出部の内側に係合することが好ましく、加えて、該突出部６２と前記ハウジング１２の側壁６６の間に空間部６４を設け、前記回動部材１６が閉じられた際に前記回動部材１６の突起５１が前記空間部６４に入ることで前記回動部材１６が保持されることがより好適である。【００２２】
また第１〜第４発明では、いずれも前記接続対象物の長手方向両側に係止部を設けるとともに前記回動部材には前記接続対象物の係止部に対応する位置に前記係止部と係合する係合凸部を設け、前記回動部材が閉じた際に前記係合凸部と前記係止部が係合することで前記接続対象物を保持することが好ましく、加えて、前記延設部２２に、前記基板８０と接する面側に前記基板８０との位置決めのための位置決めピン２５を別体若しくは一体に設けることがより好適である。
さらに、前記コンタクト１４の接続部３６の上面側で前記基板に接続するとともに前記回動部材１６を前記コネクタ搭載面と逆側で操作することが好ましい。【００２３】
第１及び第３発明では、いずれも前記ハウジングの前記天井部の少なくとも両端側には、前記接続対象物が上方向にコジられた際の前記天井部の浮き上がりを防止する防止壁を形成することが好ましく、また、加えて前記防止壁２７を、中央部付近もしくは全体に形成することがより好適である。【００２４】
第１〜第４発明では、いずれも前記保持手段として、少なくとも一つのコンタクト１４おきに、前記第一片２８の前記押受部３４に前記接続部３６方向に突出する凸部４０を設けるとともに前記第二片３０の接続部３６先端付近に前記押受部３４方向に突出する突起部４２を設けること、
少なくとも一つのコンタクト１４おきに、前記第二片３０の接続部３６と連結部３８との間に前記押受部３４方向に突出する凸４４を設けること、
または、前記凸部４０及び前記突起部４２を設けるコンタクト１４と、前記凸４４を設けるコンタクト１４とを、交互に並べて前記凸部及び前記突起部と前記凸とを千鳥状に配置することが好ましい。【００２５】
第１〜第４発明では、いずれも前記第一片の押受部３４先端に突出部３９を設けることが好ましい。
さらに、前記接続対象物を前記コネクタ１０に接続する場合に、前記接続対象物と前記コネクタ１０との接続前の状態では前記回動部材１６の押圧部４８の下端が前記凸４４に接した状態にあり、第二に前記操作部４６を回動させると前記押圧部４８の下端が前記凸４４に接した状態で下端５８側のＲの中心を回転軸５４として回動し前記押圧部４８がやや傾斜した状態になり、第三にさらに回動させると第二の状態から前記下端５８が前記接続部３６方向に幾分移動し前記押圧部４８の中心を回転軸５４として回動し前記押圧部４８がほぼ垂直な状態になり、第四にさらに回動させると第三の状態から更に前記下端５８が前記接続部３６側に移動し前記押圧部４８の上端５６が前記凸部４０側に移動し前記押圧部４８が垂直な状態になり、第五にさらに回動させると第四の状態から更に前記下端５８が前記接続部３６側に移動し前記押圧部４８の上端５６が前記凸部４０に接触した状態になり、最後に第五の状態からさらに回動させると前記押圧部４８は前記上端５６のＲの中心を回転軸５４として前記回動部材１６を前記ハウジング１２の嵌合口１８方向に回動することで前記コンタクト１４の接触部３２を前記接続対象物に接触させることが好ましい。【００２６】
本コネクタ１０の作用としては、前記ＦＰＣ７０又はＦＦＣ等の接続対象物が前記ハウジング１２の嵌合口１８内に挿入された後に、前記回動部材１６の押圧部４８が前記コンタクト１４の接続部３６と押受部３４との間で回動すると、前記押受部３４が押圧部４８によって押し上げられることで前記コンタクト１４の連結部３８の一方を支点にし、前記コンタクト１４の連結部３８が前記接触部３２側に傾くことによって、前記接触部３２が前記ＦＰＣ７０又はＦＦＣ等の接続対象物側に押圧される。
【発明の効果】
【００２７】
以上の説明から明らかなように、本発明のコネクタによると、次のような優れた効果が得られる。
（１）第１及び第３発明によれば、コネクタ１０の低背化（コネクタ１０の実装高さ０．９５ｍｍ）を維持しつつ、基板８０のデットスペースの削減（奥行き方向を３．５ｍｍにすること）ができ、前記回動部材１６の回転時に前記回動部材１６と基板８０とが接触することがなく、前記回動部材１６や基板８０が破損することがない。
（２）第２及び第４発明によれば、嵌合口１８２をハウジング上部に有しているため、第１及び第３発明と比べ基板の奥行き方向のさらなる小スペース化が図れ、ＦＰＣ７０等の接続対象物の一端を本発明のコネクタ１０の嵌合口１８に挿入した状態で、前記接続対象物の他端を別のコネクタ等の相手物に接続させる場合、前記相手物のある位置によってＦＰＣ７０等の接続対象物の引き回し（コネクタ上部や後部に位置する相手物と接続させるために、前記接続対象物を変形させて相手物へ近づけること）が容易に行え、デットスペースの解消にもなり、前記接続対象物に負担が掛からず、スムーズで安定した接続を得ることができる。また、従来のフロントロックタイプやバックロックタイプに比べロック長を確保できると同時に、指で操作する部分も大きくなるため簡単な操作や小さな操作力で安定した接続が得られる。
（３）前記延設部２２と前記基板８０の下面が接するように前記コネクタ１０を前記基板８０に接続している場合は、コネクタ１０の接続強度を維持しつつ、基板８０のデットスペースの削減（奥行き方向を４．０ｍｍにすることや、長手方向を２．０〜３．０ｍｍ短くすること）ができ、前記回動部材１６の回転時に前記回動部材１６と基板８０とが接触することがなく、前記回動部材１６や基板８０が破損することがない。
（４）前記回動部材１６の長手方向両側にスリット部４７によって分けられた弾性を有する板状片４９を設けるとともに該板状片４９の先端に突起５１を設け、前記固定具１７と一体若しくは別体に、前記ハウジング１２の天井部２０と略垂直な弾性を有する突出部６２を設け、前記回動部材１６が閉じられた際に前記回動部材１６の突起５１が前記突出部６２の内側に係合している場合には、ＦＰＣ等の接続対象物が上方向にコジられた場合でも前記回動部材１６が回転することがなく、安定した接続を得ることができる。
（５）前記ハウジング１２の側壁６６と並行な弾性を有する突出部６２を設けるとともに該突出部６２と前記ハウジング１２の側壁６６の間に空間部６４を設け、前記回動部材１６が閉じられた際に前記回動部材１６の突起５１が前記空間部６４に入ることで前記回動部材１６が保持している場合には、ＦＰＣ等の接続対象物が上方向にコジられた場合でも前記回動部材１６が回転することがなく、安定した接続を得ることができる。
（６）前記基板８０の長手方向両側に係止部７２を設けるとともに前記回動部材１６には前記基板８０の係止部８２に対応する位置に前記係止部７２と係合する係合凸部５３を設け、前記回動部材１６が閉じた際に前記係合凸部５３と前記係止部７２が係合することで基板８０を保持している場合には、ＦＰＣ等の接続対象物を挿入した場合に確実な位置決めを行うことができ、接続対象物がコジられた場合でも位置ズレすることがなく、安定した接続を得ることができる。
（７）前記延設部２２に、前記基板８０と接する面側に前記基板８０との位置決めのための位置決めピン２５を別体若しくは一体に設けている場合には、コネクタ１０を正確な位置に基板８０に取り付けることができ、かつ、位置決めピン２５があっても長手方向が大きくなることがない。
（８）前記コンタクトの接続部の上面側で前記基板に接続するとともに前記回動部材を前記コネクタ搭載面と逆側で操作している場合には、基板の厚さ分の低背化が可能になり、かつ、他の部品や前記コネクタ１０が搭載されていない面側で前記回動部材１６を操作できるため容易に回動部材１６を操作できる。
（９）第1発明において、前記ハウジング１２には、前記天井部２０の少なくとも両端側には前記接続対象物が上方向にコジられた際の前記天井部２０の浮き上がりを防止する防止壁２７が形成され、前記保持手段として、少なくとも一つのコンタクト１４おきに、前記第一片２８の前記押受部３４に前記接続部３６方向に突出する凸部４０を設けるとともに前記第二片３０の接続部３６先端付近に前記押受部３４方向に突出する突起部４２を設けている場合には、前記回動部材１６の安定した回転が得られ、かつ、前記回動部材１６を嵌合側方向に回転させているため基板占有面積（奥行き方向が４．０ｍｍ以下になる）が小さくなり、従来に比較して接続対象物がコジられても接続不良に繋がることがなく、従来に比較して、接続安定性・保持力が向上する。
（１０）第１〜第４発明は、いずれも前記保持手段として、少なくとも一つのコンタクト１４おきに、前記第二片３０の接続部３６と連結部３８との間に前記押受部３４方向に突出する凸４４を設けている場合には、前記回動部材１６の安定した回転が得られ、かつ、前記回動部材１６を嵌合側方向に回転させているため基板占有面積（奥行き方向が４．０ｍｍ以下になる）が小さくなる。
（１１）第１〜第４発明は、いずれも前記凸部４０及び前記突起部４２を設けるコンタクト１４と、前記凸４４を設けるコンタクト１４とを、千鳥に配置している場合には、前記回動部材１６を挿入し易く、前記回動部材１６の安定した回転が得られ、かつ、前記回動部材１６を嵌合側方向に回転させているため基板占有面積（奥行き方向が４．０ｍｍ以下になる）が小さくなり、コネクタ１０の狭ピッチ化もできる。
（１２）第１〜第４発明は、いずれも前記第一片２８の押受部３４先端に突出部３９を設けている場合には、前記回動部材１６の回動に対する反発力に対しても、前記ハウジング１２の中央部が嵌合口１８方向に膨れてしまうことを防ぐことができる。
（１３）第１発明及び第３発明においては、前記防止壁２７を、さらに中央部付近若しくは全体に形成している場合には、ＦＰＣ７０等の接続対象物が上側方向にコジられた際に、ハウジング１２が上側に持ち上げられ難く、安定した接触力を得ることができ、接続不良に繋がらない。
（１４）第１〜第４発明は、いずれも前記接続対象物を前記コネクタ１０に接続する場合に、前記接続対象物と前記コネクタ１０との接続前の状態では前記回動部材１６の押圧部４８の下端が前記凸４４に接した状態にあり、第二に前記操作部４６を回動させると前記押圧部４８の下端が前記凸４４に接した状態で下端５８側のＲの中心を回転軸５４として回動し前記押圧部４８がやや傾斜した状態になり、第三にさらに回動させると第二の状態から前記下端５８が前記接続部３６方向に幾分移動し前記押圧部４８の中心を回転軸５４として回動し前記押圧部４８がほぼ垂直な状態になり、第四にさらに回動させると第三の状態から更に前記下端５８が前記接続部３６側に移動し前記押圧部４８の上端５６が前記凸部４０側に移動し前記押圧部４８が垂直な状態になり、第五にさらに回動させると第四の状態から更に前記下端５８が前記接続部３６側に移動し前記押圧部４８の上端５６が前記凸部４０に接触した状態になり、最後に第五の状態からさらに回動させると前記押圧部４８は前記上端５６のＲの中心を回転軸５４として前記回動部材１６を前記ハウジング１２の嵌合口１８方向に回動することで前記コンタクト１４の接触部３２を前記接続対象物に接触させる構成にすれば、前記回動部材１６の押圧部４８は一定の回転軸５４を決めずに回転しているためコンパクトな回転をすることができ、コネクタ１０の低背化にも繋がる。
【図面の簡単な説明】
【００２８】
【図１】（Ａ）は、回動部材が開いた状態の嵌合口側の上方から見た本発明のコネクタの斜視図である。（Ｂ）は、回動部材が開いた状態の接続部側から見た本発明のコネクタの斜視図である。
【図２】（Ａ）は、基板に取付られ、回動部材が開いた状態の嵌合口側からみた本発明のコネクタの斜視図である。（Ｂ）は、基板に取付られ、回動部材が開いた状態の接続部側からみた本発明のコネクタの斜視図である。
【図３】（Ａ）は、回動部材が開いた状態にて、一のコンタクト位置で切断した本発明のコネクタの斜視図である。（Ｂ）は、ＦＰＣが挿入され回動部材が閉じた状態にて、一のコンタクト位置で切断したときの本発明のコネクタの斜視図である。
【図４】（Ａ）は、コンタクトの斜視図である。（Ｂ）は、他のコンタクトの斜視図である。
【図５】ハウジングの斜視図である。
【図６】回動部材の斜視図である。
【図７】固定具の斜視図である。
【図８】回動部材が回動する場合の押圧部と回転軸の移動を説明する説明図である。
【図９】（Ａ）は、回動部材が閉じた状態の嵌合口側からみた本発明の別のコネクタの斜視図である。（Ｂ）は、基板に取付られ、回動部材が閉じた状態の嵌合口側からみた本発明の別のコネクタの斜視図である。
【図１０】（Ａ）は、回動部材が開いた状態の嵌合口側の上方から見た本発明の別のコネクタの斜視図である。（Ｂ）は、回動部材が開いた状態の接続部側から見た本発明の別のコネクタの斜視図である。
【図１１】（Ａ）は、基板に取付られ、回動部材が開いた状態の嵌合口側からみた本発明の別のコネクタの斜視図である。（Ｂ）は、基板に取付られ、回動部材が開いた状態の接続部側からみた本発明の別のコネクタの斜視図である。
【図１２】（Ａ）は、回動部材が開いた状態にて、一のコンタクト位置で切断した本発明の別のコネクタの斜視図である。（Ｂ）は、ＦＰＣが挿入され回動部材が閉じた状態にて、一のコンタクト位置で切断したときの本発明の別のコネクタの斜視図である。
【図１３】他のハウジングの斜視図である。
【図１４】他の回動部材の斜視図である。
【図１５】他の固定具の斜視図である。
【図１６】（Ａ）は、回動部材が開いた状態にて、一のコンタクト位置で切断したときの本発明の別のコネクタの断面図である。（Ｂ）は、ＦＰＣが挿入され回動部材が閉じた状態にて、一のコンタクト位置で切断したときの本発明の別のコネクタの断面図である。
【符号の説明】
【００２９】
１０、１０２    コネクタ
１２、１２２    ハウジング
１４、１４２    コンタクト
１６、１６２    回動部材
１７    固定具
１８、１８２    嵌合口
２０、２０２    天井部
２１    スリット
２２    延設部
２３    下面
２４    挿入孔
２５    位置決めピン
２７    防止壁
２８、２８２    第一片
３０、３０２    第二片
３２、３２２    接触部
３４、３４２    押受部
３５    延設部
３６、３６２    接続部
３８、３８２    連結部
３９    突出部
４０    凸部
４２    突起部
４４    凸
４６、４６２    操作部
４７    スリット部
４８、４８２    押圧部
４９    板状片
５０    係止孔
５１    突起
５３    係合凸部
５４    回転軸
５６    上端
５８    下端
５９    奥行壁
６０    突出片
６１    固定部分
６２    突出部
６４    空間部
６６    側壁
６７    延設壁
７０    ＦＰＣ
７２    係止部
８０    基板
８２    切欠き部
【発明を実施するための最良の形態】
【００３０】
図１から図８に基づいて、本発明のコネクタの代表的な実施例（実施例１）について説明する。
図１（Ａ）は回動部材が開いた状態の嵌合口側からみた本発明のコネクタの斜視図、図１（Ｂ）は回動部材が開いた状態の接続部側からみた本発明のコネクタの斜視図、図２（Ａ）は基板に取付られ、回動部材が開いた状態の嵌合口側からみた本発明のコネクタの斜視図、図２（Ｂ）は基板に取付られ、回動部材が開いた状態の接続部側からみた本発明のコネクタの斜視図、図３（Ａ）は回動部材が開いた状態にて一のコンタクト位置で切断したときの本発明のコネクタの斜視図、（Ｂ）はＦＰＣが挿入され回動部材が閉じた状態にて一のコンタクト位置で切断したときの本発明のコネクタの斜視図、図４は図１〜図３に用いたコンタクトの斜視図、図５（Ａ）は用いたハウジングの斜視図、図６（Ａ）は回動部材の斜視図、図７（Ａ）は固定具の斜視図、図８（Ａ）〜（Ｆ）は回動部材が開いた状態から閉じた状態に回動する場合の押圧部と回転軸の移動を説明する説明図である。
本発明のコネクタ１０は、主にハウジング１２と回動部材１６とコンタクト１４と固定具１７とを備えている。【００３１】
図に基づいて本発明のコネクタ１０の構成部品について説明する。
まず、コンタクト１４について説明する。このコンタクト１４は金属製であり、公知技術のプレス加工によって製作されている。前記コンタクトの材質としては、バネ性や導電性などが要求されるので、黄銅やベリリウム銅やリン青銅等を挙げることができる。
本実施例では、前記コンタクト１４は、図４のように断面が略逆Ｈ字形状をしており、一端側に前記接続対象物と接触する接触部３２ａと他端側に前記回動部材１６により押圧される押受部３４とを有する第一片２８と、一端側に前記接続対象物と接触するもう一つの接触部３２ｂと他端側に基板と接続する接続部３６とを有する第二片３０と、前記第一片２８と前記第二片３０とを連結する連結部３８とを備え、前記第一片２８の接触部３２ａと前記連結部３８と前記接続部３６とを略クランク形状に配置するとともに前記押受部３４と前記接続部３６との間に前記回動部材１６の押圧部４８が回動できる保持手段を設けている。
前記接触部３２ａ、３２ｂは、ＦＰＣ７０又はＦＦＣ等の接続対象物と接触し易いように凸部形状にしており、前記接続部３６は本実施例では図１のように表面実装タイプ（ＳＭＴ）にしているが、ディップタイプでも良い。即ち、２つの接触部３２ａ、３２ｂを設けて、前記ＦＰＣ７０又はＦＦＣを挟持するようにする。前記ＦＰＣ７０又はＦＦＣの挿入方向に対して、直角方向両側に接触部３２ａ、３２ｂを設けることで、前記ＦＰＣ７０又はＦＦＣを２つの接触部３２ａ、３２ｂで挟持することになり、確実に前記ＦＰＣ７０又はＦＦＣと接触できるようになると同時に接続対象物のどちら側に接点がある場合でも対応できる。【００３２】
前記連結部３８と前記押受部３４とは、前記ＦＰＣ７０又はＦＦＣ等の接続対象物が挿入された際に、次のような作用を果たすための部分である。前記ＦＰＣ７０又はＦＦＣ等の接続対象物が前記ハウジング１２の嵌合口１８内に挿入された後に、前記回動部材１６の押圧部４８が前記コンタクト１４の接続部３６と押受部３４との間で回動すると、前記押受部３４が押圧部４８によって押し上げられることで前記コンタクト１４の連結部３８の下端５８を支点にし、前記コンタクト１４の連結部３８が前記接触部３２ａ側に傾くことによって、前記接触部３２ａが前記ＦＰＣ７０又はＦＦＣ等の接続対象物側に押圧される。前記連結部３８と前記押受部３４の大きさや形状は、このような作用を果たすために、適宜設計されている。【００３３】
前記保持手段として、少なくとも一つのコンタクト１４おきに、前記第一片２８の前記押受部３４に前記接続部３６方向に突出する凸部４０を設けるとともに前記第二片３０の接続部３６先端付近に前記押受部３４方向に突出する突起部４２を設ける。前記凸部４０と前記突起部４２の形状や大きさは、前記回動部材１６の押圧部４８が回動する際に押圧部４８が脱落することなく、安定した回動が得られるように適宜設計する。本実施例では、前記回動部材１６の押圧部４８が破損し難いように湾曲形状にしている。
また、前記保持手段として、少なくとも一つのコンタクト１４おきに、前記第二片３０の接続部３６と連結部３８との間に前記押受部３４方向に突出する凸４４を設け、前記凸部４０及び前記突起部４２を設けるコンタクト１４と、前記凸４４を設けるコンタクト１４とを、交互に並べて前記凸部４０及び前記突起部４２と前記凸４４とを千鳥状に配置する。このように配置することで、前記回動部材１６の押圧部４８がよりスムーズに回動出来るようになる。前記凸４４の形状や大きさは、前記回動部材１６の押圧部４８が回動する際に押圧部４８が脱落することなく、安定した回動が得られるように適宜設計する。本実施例では、前記回動部材１６の押圧部４８が破損し難いように湾曲形状にしている。さらに、図４（Ａ）に示すように、前記凸部４０及び前記突起部４２と前記凸４４を一のコンタクトに設けてもよい。【００３４】
また、前記回動部材１６の押圧部４８をコンタクト１４の押受部３４と接続部３６との間で回動させるときは回動部材１６の回動に対する反発力が強い為に、回動部材１６の中央部が図１（Ａ）の矢印「イ」方向に膨れてしまう場合がある。この場合には、図４（Ｂ）に示すように、前記第一片２８の押受部３４先端に突出部３９を設ければ、前記回動部材１６の中央部が膨れるのを有効に防止できる。前記突出部３９の大きさは、このような役割を果たすことが出来れば如何なる大きさでもよく、回動部材１６の押圧部４８が引っ掛かる程度に適宜設計する。【００３５】
次に、回動部材１６について説明する。この回動部材１６は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。該回動部材１６は断面が略Ｌ字形状をしており、主に操作部４６とハウジング１２に回動可能に装着される軸５２部分と前記コンタクト１４の押受部３４を押圧する押圧部４８と前記コンタクト１４の押受部３４が入る係止孔５０とを備えている。前記軸５２は、回動部材１６を回動するための支点であり、ハウジング１２の長手方向両側に回動部材１６が回動可能に適宜装着されている。【００３６】
前記押圧部４８は、コンタクト１４の押受部３４に押し付ける部分であり、その断面形状としては細長形状にすることが望ましく、本実施例では楕円形状をしている。このように楕円形状にすることによって、図１（Ａ）のように回動部材を矢印「イ」方向に回動させ、コンタクト１４の押受部３４と接続部３６との間で回転させることで、押圧部４８の大きさの変化によりコンタクト１４の押受部３４が持ち上げられ、ＦＰＣ７０又はＦＦＣ等の接続対象物をコンタクト１４の接触部３２ａ側に押し付けている。押圧部４８の形状としては、コンタクト１４の押受部３４と接続部３６との間で回転でき、長軸と短軸といった大きさの違いによりコンタクト１４の押受部３４を押し上げられれば、如何なるものでもよい。
また、前記回動部材１６を回動した際に、回動部材１６の回動に対する反発力が強く、回動部材１６の中央部が図１（Ａ）の矢印「イ」方向に膨れてしまうことをより一層防止できるように、前記コンタクト１４の突出部３９が係合する係止孔５０が別個独立に設けることが好ましい。前記係止孔５０を別個独立に設けることで、回動部材１６の強度アップや回動時の変形を防止している。【００３７】
前記回動部材１６には、長手方向両側にスリット部４７によって分けられた弾性を有する板状片４９を設け、該板状片４９の先端に突起５１を設けることが好ましい。長手方向両側の前記板状片４９の突起５１は、図３（Ｂ）に示すように、２つの前記固定具１７の内側に入ることで、前記回動部材１６を確実に保持するためのものである。前記スリット部４７を設けることで、前記板状片４９に弾性を持たせている。前記板状片４９及びその先端にある突起５１の位置は、２つの前記固定具１７間の内側に入るように設計している。また、前記板状片４９及びその先端にある突起５１の大きさは、上記役割や弾性や強度等を考慮して適宜設計する。【００３８】
次に、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
前記ハウジング１２には、所要数のコンタクト１４が装着される挿入孔２４が設けられており、圧入や引っ掛け（ランス）や溶着等によって固定されている。【００３９】
前記ハウジング１２は、図２（Ａ）で示すように、前記コンタクト１４の第一片２８の接触部３２を被覆する天井部２０を備え、長手方向両側に前記基板８０と接する面を有する延設部２２が設けられている。前記延設部２２は前記固定具１７が取り付けられる部分である。前記延設部２２は前記基板８０の下面側に接するように前記基板８０と略並行に長手方向両側に突出するように設けられている。前記延設部の大きさは、コネクタ１０の低背化や強度等を考慮して適宜設計している。本実施例では、前記延設部２２の厚みは、該厚みと基板８０の厚さを加えたものが前記回動部材１６を閉じた状態のコネクタ１０の厚さより小さくなるようにしている。即ち、前記延設部２２が前記基板８０の下面に接することで基板への接続強度が強くなり、かつ、コネクタ１０の長手方向のデットスペースが小さくなる。【００４０】
また、図９（Ａ）は回動部材が閉じた状態の嵌合口側からみた本発明の別のコネクタの斜視図、（Ｂ）は基板に取付られ、回動部材が閉じた状態の嵌合口側からみた本発明の別のコネクタの斜視図であるが、このコネクタのように、ハウジング１２の延設部２２に、前記基板８０と接する面側に前記基板８０との位置決めのための位置決めピン２５を別体若しくは一体に設けるとよい。前記位置決めピン２５は基板８０への正確な位置決めをするためのものであり、コストや加工性を考えると一体が望ましい。前記位置決めピン２５の位置は、前記基板８０へ正確に位置決めできればよく、バランスを考えると長手方向両側に設けることが好ましい。【００４１】
前記天井部２０の嵌合口１８側には、前記ＦＰＣ７０が挿入し易いようにテーパ形状及びＲ形状にするか、または面取り等を行うことが好ましい。また、前記天井部２０には、前記コンタクト１４に対応する位置に複数のスリット２１を設けることが好ましい。該スリット２１は前記コンタクト１４の第一片を埋め込むためのスペースであって、その大きさは前記コンタクト１４より幾分大きめになっており、前記コンタクト１４の大きさや前記ハウジング１２の強度や役割を考慮して適宜設計している。前記スリット２１を設けて、前記コンタクト１４を逃がすことで、低背化できる構造になっている。【００４２】
次に、固定具１７について説明する。この固定具１７は金属製であり、公知技術のプレス加工によって製作されている。前記固定具１７の材質としては、バネ性や接続性や寸法安定性などが要求されるので、黄銅やベリリウム銅やリン青銅等を挙げることができる。
前記固定具１７は図７（Ａ）のように断面略Ｕ字形状であり、前記ハウジング１２の延設部２２の下面２３を覆うように圧入や一体成型や溶着等によって固定されていることが好ましい。前記固定具１７の位置は、客先の仕様や基板８０の取付位置等を考慮して設計している。本実施例では、基板８０に切欠き部８２を設けて、他の部品等の搭載側よりコネクタ１０を取付け、前記回動部材１６を他の部品等の搭載がわと反対側で操作するように固定するために、前記ハウジング１２の厚み方向のほぼ中央部に装着している。前記固定具１７の大きさは、保持力や基板の占有面積等を考慮して設計している。【００４３】
前記固定具１７には、該固定具１７と一体若しくは別体に、前記コンタクト１４の接続部３６側に前記基板８０と垂直に突出し、かつ、前記回動部材１６の奥行壁５９に接する突出片６０を設けることが好ましい。前記突出片６０はコストを考えると前記固定具６０と一体構造が望ましく、また、前記突出片６０はコネクタ１０の長手方向両側若しくはどちらか一方に設ければよいが、バランスを考えると両側に設けることが望ましい。前記突出片６０の役割は、前記回動部材１６が開いた際に前記回動部材１６の回転角度を制限するものである。本実施例では７５°に制限している。前記突出片６０の位置や大きさは、このような役割や前記固定具６０の加工性や強度等を考慮して適宜設計している。【００４４】
前記固定具１７には、前記固定具１７と一体若しくは別体に、前記ハウジング１２の天井部２０と略垂直な弾性を有す突出部６２を設けることが好ましい。前記突出部６２はコストを考えると前記固定具６０と一体構造が望ましい。長手方向両側に配置された前記突出部６２間に、長手方向両側の前記回動部材１６の突起５１が上述したように係合し、前記回動部材１６を確実に保持するためのものである。前記突出部６２の位置と大きさは、このような役割や加工性や強度等を考慮して適宜設計しており、前記突出部６２には、前記回動部材１６の突起５１を挿入し易く、かつ、確実な保持ができるように弾性を持たせている。【００４５】
ここで、図８に基づいて、前記回動部材１６の押圧部４８の移動及び回動の仕方について説明する。
図８（Ａ）は前記接続対象物と前記コネクタ１０との接続前の状態で、前記回動部材１６の押圧部４８の下端５８が前記凸４４に接した状態にある。
図８（Ｂ）のように、前記操作部４６を回動（図面の反時計回り方向）させると前記押圧部４８の下端５８が前記凸４４に接した状態で下端５８側のＲの中心を回転軸５４として回動し前記押圧部４８がやや傾斜した状態になる。
図８（Ｃ）のように、前記操作部４６をさらに回動させると（Ｂ）の状態から前記下端５８が前記接続部３６方向に幾分移動し前記押圧部４８の中心を回転軸５４として回動し前記押圧部４８がほぼ垂直な状態になる。
図８（Ｄ）のように、前記操作部４６をさらに回動させると（Ｃ）の状態から更に前記下端５８が前記接続部３６側に移動し前記押圧部４８の上端５６が前記凸部４０側に移動し前記押圧部４８が垂直な状態になる。
図８（Ｅ）のように、（Ｄ）の状態から更に前記下端５８が前記接続部３６側に移動し前記押圧部４８の上端５６が前記凸部４０に接触した状態になる。
図８（Ｆ）のように、（Ｅ）の状態からさらに回動させると前記押圧部４８は前記上端５６のＲの中心を回転軸５４として回動し、前記ハウジング１２の嵌合口１８方向に回動することで前記コンタクト１４の接触部３２を前記接続対象物に接触する。
即ち、前記押圧部３６は、最初は回動し、その後移動し、さらに回動を続けると回転軸５０が変化して、省スペース間でコンパクトな回動（回転）を行うものである。
つまり、本発明のコネクタ１０では、前記ＦＰＣ７０等の接続対象物を嵌合口１８内に挿入する際に挿入力の掛からない（所謂、ゼロ・インサーション・フォース（ＺＩＦ））構造で、前記回動部材１６の押圧部４８を前記コンタクト１４の凸部４０と突起部４２と凸４４との間で回動させることで小さな力で前記回動部材１６をロックできる構造で、かつ、前記回動部材１６の押圧部４８でより前記コンタクト１４の押受部３４を押し上げることで高い接触力を得られる構造になっている。【００４６】
最後に、コネクタ１０の基板８０への取付けについて説明する。近年の低背化要求に対応するために、図２のように、基板８０に切欠き部８２を設け、前記コネクタ１０を該切欠き部８２に落とし込むように取付けようにする。このようにすることで、基板８０とコネクタとを含めた全体の低背化に繋がることになる。つまり、基板８０の厚さ分の低背化が可能になり、０．４ｍｍの基板であれば、コネクタの高さが１．０ｍｍあっても、基板８０を含めた高さは０．６ｍｍ程度にすることができる。基板８０の切欠き部８２の大きさはコネクタ１０の大きさや基板８０の強度や取付け位置等を考慮して適宜設計する。【００４７】
また、図１０から図１５は、本発明の別のコネクタの実施例（実施例２）を示したものである。
図１０（Ａ）は回動部材が開いた状態の嵌合口側からみた本発明のコネクタの斜視図、図１０（Ｂ）は回動部材が開いた状態の接続部側からみた本発明のコネクタの斜視図、図１１（Ａ）は基板に取付られ、回動部材が開いた状態の嵌合口側からみた本発明のコネクタの斜視図、図１１（Ｂ）は基板に取付られ、回動部材が開いた状態の接続部側からみた本発明のコネクタの斜視図、図１２（Ａ）は回動部材が開いた状態にて一のコンタクト位置で切断したときの本発明のコネクタの斜視図、図１２（Ｂ）はＦＰＣが挿入され回動部材が閉じた状態にて一のコンタクト位置で切断したときの本発明のコネクタの斜視図、図１３は図１０〜図１２中に用いたハウジングの斜視図、図１４は図１０〜図１２中に用いた回動部材の斜視図、図１５（Ｂ）は図１０〜図１２中に用いた固定具の斜視図である。【００４８】
また、図１０に示すコネクタの基本構成は実施例１と同様であるため、各構成物品の説明については、上述した実施例１のものと異なる点についてのみ、以下で説明する。【００４９】
前記回動部材１６には、長手方向両側にスリット部４７によって分けられた弾性を有する板状片４９を設け、該板状片４９の先端に突起５１を設けることが好ましい。前記板状片４９の突起５１は、図３（Ｄ）に示すように前記ハウジング１２の側壁６６と前記固定具１７の突出部６２に形成される空間部６４に入ることで、前記回動部材１６を確実に保持するためのものである。前記スリット部４７を設けることで、前記板状片４９に弾性を持たせている。前記板状片４９及びその先端にある突起５１の位置は、前記空間部６４に入るように設計している。また、前記板状片４９及びその先端にある突起５１の大きさは、上記役割や弾性や強度等を考慮して適宜設計する。【００５０】
また、図６（Ｂ）で示すように、前記回動部材１６の長手方向両側付近に、前記ＦＰＣ７０又はＦＦＣ等の接続対象物の係止部７２に対応する位置に前記係止部７２と係合する係合凸部５３を設けることが好ましい。図３（Ｃ）及び（Ｄ）で示すように、前記係合凸部は、前記回動部材１６が閉じた際に前記係合凸部５３と前記係止部７２が係合することで前記ＦＰＣ７０を位置決め保持するものである。前記係合凸部５３の位置は、前記ＦＰＣ７０の係止部７２に対応し、かつ、前記係止部７２に入るように適宜設計している。前記係合凸部５３の大きさは、前記接続対象物の係止部７２に係合できればよく、コネクタ１０の小型化や前記接続対象物の高密度化等を考慮して適宜設計する。【００５１】
前記ハウジング１２の天井部２０には、前記コンタクト１４に対応する位置に複数のスリット２１を設けることが好ましい。該スリット２１の大きさは前記コンタクト１４より幾分大きめになっており、前記コンタクト１４の大きさや前記ハウジング１２の強度や役割を考慮して適宜設計している。前記スリット２１を設けて、前記コンタクト１４を逃がすことで、低背化できる構造になっている。
また、前記ハウジング１２には、本体から延設された延設壁６７を設けることが好ましい。前記延設壁６７は前記固定具１７が固定される部分である。【００５２】
前記固定具１７は図７（Ｂ）のように略板状片であり、前記ハウジング１２の延設壁６７に圧入や一体成型や溶着等によって固定されていることが好ましい。前記固定具１７の位置は、客先の仕様や基板８０の取付位置等を考慮して設計している。本実施例では、基板８０に切欠き部８２を設け、他の部品等の搭載側よりコネクタ１０を取付け、前記回動部材１６を他の部品等の搭載側と反対側で操作するように固定するために、前記ハウジング１２の厚み方向のほぼ中央部に装着している。前記固定具１７の大きさは、保持力や基板の占有面積等を考慮して設計している。【００５３】
前記固定具１７には、前記固定具１７と一体若しくは別体に、前記ハウジング１２の側壁６６と平行な弾性を有する突出部６２を設けることが好ましい。前記突出部６２はコストを考えると前記固定具６０と一体構造が望ましい。長手方向両側に配置された前記突出部６２間に、長手方向両側の前記回動部材１６の突起５１が上述したように係合し、前記回動部材１６を確実に保持するためのものである。さらに、前記突出部６２と前記ハウジング１２の壁側２３の間に、前記回動部材１６の突起５１が係合する空間部６４を設けることができる。前記突出部６２の位置と大きさは、このような役割や加工性や強度等を考慮して適宜設計している。また、前記突出部６２には、前記回動部材１６の突起５１を挿入し易く、かつ、確実な保持ができるように弾性を持たせている。【００５４】
次に、図１６（Ａ）、（Ｂ）に基づいて、本発明の別のコネクタ１０２の実施例（実施例３）について説明する。図１０（Ａ）は回動部材が開いた状態にて、一のコンタクト位置で切断したときの本発明のコネクタの断面図、及び図１０（Ｂ）はＦＰＣが挿入され回動部材が閉じた状態にて、一のコンタクト位置で切断した本発明のコネクタの断面図である。【００５５】
図１６のコネクタは、前記コンタクト１４２が、図１１で示すような形状をしており、一端側に前記接続対象物と接触する接触部３２２ａと他端側に前記回動部材１６２により押圧される押受部３４２とを有する第一片２８２と、一端側に前記接続対象物と接触するもう一つの接触部３２２ｂと他端側に基板と接続する接続部３６２とを有する第二片３０２と、前記第一片２８２と前記第二片３０２とを連結する連結部３８２とを備えるとともに、前記押受部３４２と前記接続部３６２との間に前記回動部材１６２の押圧部４８２が回動できる保持手段を設けている。【００５６】
また、ハウジング１２２は、前記嵌合口１８２を上部に有し、前記コンタクト１４２の第一片２８２の接触部３２２ａを被覆する天井部２０２を備えている。【００５７】
さらに、コンタクトのその他の実施形態としては、図４（Ａ）に示す第二片の接触部３２ｂの代わりに、図４（Ｂ）に示すように第二片の一端側に前記接続対象物と接触する延設部３５を設けることもできる。
【産業上の利用可能性】
【００５８】
本発明の活用例としては、モバイル機器等の電気・電子機器に使用されるコネクタ１０に活用され、特にＦＰＣ７０やＦＦＣ等の接続対象物との安定した接続を得られ、コネクタの低背化や基板のデットスペース削減や基板の側面に取り付けられる構造に関するものである。
【図１】
0004630340.tif 000002
【図２】
0004630340.tif 000003
【図３】
0004630340.tif 000004
【図４】
0004630340.tif 000005
【図５】
0004630340.tif 000006
【図６】
0004630340.tif 000007
【図７】
0004630340.tif 000008
【図８】
0004630340.tif 000009
【図９】
0004630340.tif 000010
【図１０】
0004630340.tif 000011
【図１１】
0004630340.tif 000012
【図１２】
0004630340.tif 000013
【図１３】
0004630340.tif 000014
【図１４】
0004630340.tif 000015
【図１５】
0004630340.tif 000016
【図１６】
0004630340.tif 000017